【手続補正書】
【提出日】平成30年9月27日(2018.9.27)
【手続補正１】
【補正対象書類名】特許請求の範囲
【補正対象項目名】全文
【補正方法】変更
【補正の内容】
【特許請求の範囲】
【請求項１】
電流ミラーであって、
第１の対のトランジスタと、
前記第１の対のトランジスタとカスコードの第２の対のトランジスタと、
前記第２の対のトランジスタに結合されたスイッチングネットワークと、
前記スイッチングネットワークに結合された第３の対のトランジスタと、ここにおいて、前記第１および第２の対のトランジスタ間の入力ノードは、前記電流ミラーに関する入力電流を受け取るように構成され、ここにおいて、前記第１の対のトランジスタにおける出力ノードは、前記入力電流に比例する前記電流ミラーに関する出力電流をシンクするように構成され、ここにおいて、前記第１の対のトランジスタにおける前記１つのトランジスタのソースは、前記入力ノードに結合され、ここにおいて、前記第１の対のトランジスタにおける別のトランジスタのドレインは、前記出力ノードに結合される、
前記第１の対のトランジスタにおける１つのトランジスタにバイアス電流を供給するように構成される電流ソースと
を備える、電流ミラー。
【請求項２】
前記スイッチングネットワークは、前記第２の対のトランジスタと前記第３の対のトランジスタとの間の接続を周期的に交換するように構成される、請求項１に記載の電流ミラー。
【請求項３】
前記スイッチングネットワークは、ダイナミックエレメントマッチング、ＤＥＭ、回路を備える、請求項１に記載の電流ミラー。
【請求項４】
前記バイアス電流は、前記入力電流と比較してごくわずかである、請求項１に記載の電流ミラー。
【請求項５】
前記電流ソースにおよび前記第１の対のトランジスタにおける前記１つのトランジスタに結合されたソースフォロワをさらに備える、請求項１に記載の電流ミラー。
【請求項６】
前記ソースフォロワは、第１のトランジスタおよび前記第１のトランジスタとカスコードの第２のトランジスタを備え、
前記第１のトランジスタのゲートは、前記電流ソースにおよび前記第１の対のトランジスタにおける前記１つのトランジスタのドレインに結合される、および
前記第１のトランジスタのソースは、前記第２のトランジスタのドレインまたは前記第２のトランジスタのゲートのうちの少なくとも１つに結合される、請求項５に記載の電流ミラー。
【請求項７】
前記ソースフォロワは、
前記第１のトランジスタの前記ゲートと前記第１のトランジスタの前記ソースとの間に接続された第１のキャパシタ、または、
前記第１のトランジスタの前記ゲートと前記第１の対のトランジスタにおける前記１つのトランジスタのソースとの間に接続された第２のキャパシタ、ここにおいて、前記第１の対のトランジスタにおける前記１つのトランジスタの前記ソースは、前記入力ノードに結合される、
のうちの少なくとも１つをさらに備える、請求項６に記載の電流ミラー。
【請求項８】
前記第２のトランジスタの前記ゲートは、前記第３の対のトランジスタのゲートに結合される、請求項６に記載の電流ミラー。
【請求項９】
前記電流ソースは、第１のパワーサプライノードに結合され、ここにおいて、前記第３の対のトランジスタは、前記第１のパワーサプライノードよりも低い電圧を有する、第２のパワーサプライノードに結合される、請求項１に記載の電流ミラー。
【請求項１０】
前記第１の対のトランジスタは、第１のトランジスタおよび第２のトランジスタを備え、ここにおいて、前記第１のトランジスタのゲートは、前記第２のトランジスタのゲートに結合され、ここにおいて、
前記第２の対のトランジスタは、第３のトランジスタおよび第４のトランジスタを備え、
前記第３のトランジスタのゲートは、前記第４のトランジスタのゲートに結合される、 前記第１のトランジスタのソースは、前記第３のトランジスタのドレインに結合され、および
前記第２のトランジスタのソースは、前記第４のトランジスタのドレインに結合され、ここにおいて
前記第３の対のトランジスタは、第５のトランジスタおよび第６のトランジスタを備え、
前記第５のトランジスタのゲートは、前記第６のトランジスタのゲートに結合され、および
前記第３のトランジスタと前記第４のトランジスタとの間の第１のサイズ比は、前記第５のトランジスタと前記第６のトランジスタとの間の第２のサイズ比に等しい、請求項１に記載の電流ミラー。
【請求項１１】
前記第１のトランジスタと前記第２のトランジスタとの間の第３のサイズ比は、前記第１のサイズ比および前記第２のサイズ比と異なる、請求項１０に記載の電流ミラー。
【請求項１２】
前記第３のサイズ比は、前記電流ミラーのバイアス電流と前記電流ミラーの前記出力電流の比に基づき、
前記第１のトランジスタのドレインは、前記バイアス電流を受け取るように構成され、および
前記第２のトランジスタのドレインは、前記出力電流をシンクするように構成される、請求項１１に記載の電流ミラー。
【請求項１３】
前記スイッチングネットワークの第１の構成において、前記第３のトランジスタのソースは、前記第５のトランジスタのドレインに結合され、および前記第４のトランジスタのソースは、前記第６のトランジスタのドレインに結合される、および
前記スイッチングネットワークの第２の構成において、前記第３のトランジスタの前記ソースは、前記第６のトランジスタの前記ドレインに結合され、および前記第４のトランジスタの前記ソースは、前記第５のトランジスタの前記ドレインに結合される、請求項１０に記載の電流ミラー。
【請求項１４】
前記電流ミラーの前記入力電流と前記電流ミラーの前記出力電流との間の比は、１５：１である、請求項１に記載の電流ミラー。
【請求項１５】
前記入力ノード、前記第２の対のトランジスタ、前記スイッチングネットワーク、および前記第３の対のトランジスタは、低電圧のドメインにおいて動作し、ここにおいて、前記出力ノードおよび前記第１の対のトランジスタは、高電圧のドメインにおいて動作し、ここにおいて、前記第２の対のトランジスタは、前記低電圧のドメインと前記高電圧のドメインとの間の電荷共有を減らすように構成される、請求項１に記載の電流ミラー。
【手続補正２】
【補正対象書類名】明細書
【補正対象項目名】００３９
【補正方法】変更
【補正の内容】
【００３９】
[0042]  本願の特許請求の範囲が上記で例示されたまさにその構成およびコンポーネントに限定されないことは、理解されるべきである。様々な修正、変更、および変形が、上記に説明された方法および装置の配置、動作および詳細において、特許請求の範囲から逸脱することなくなされ得る。
以下に本願の出願当初の特許請求の範囲に記載された発明を付記する。
［Ｃ１］
電流ミラーであって、
第１の対のトランジスタと、
前記第１の対のトランジスタとカスコードの第２の対のトランジスタと、
前記第２の対のトランジスタに結合されたスイッチングネットワークと、
前記スイッチングネットワークに結合された第３の対のトランジスタと、ここにおいて、前記第１および第２の対のトランジスタ間の入力ノードは、前記電流ミラーに関する入力電流を受け取るように構成され、ここにおいて、前記第１の対のトランジスタにおける出力ノードは、前記入力電流に比例する前記電流ミラーに関する出力電流をシンクするように構成される、
を備える、電流ミラー。
［Ｃ２］
前記スイッチングネットワークは、前記第２の対のトランジスタと前記第３の対のトランジスタとの間の接続を周期的に交換するように構成される、Ｃ１に記載の電流ミラー。
［Ｃ３］
前記スイッチングネットワークは、ダイナミックエレメントマッチング（ＤＥＭ）回路を備える、Ｃ１に記載の電流ミラー。
［Ｃ４］
前記第１の対のトランジスタにおける１つのトランジスタにバイアス電流を供給するように構成される電流ソースをさらに備える、Ｃ１に記載の電流ミラー。
［Ｃ５］
前記バイアス電流は、前記入力電流と比較してごくわずかである、Ｃ４に記載の電流ミラー。
［Ｃ６］
前記電流ソースにおよび前記第１の対のトランジスタにおける前記１つのトランジスタに結合されたソースフォロワをさらに備える、Ｃ４に記載の電流ミラー。
［Ｃ７］
前記ソースフォロワは、第１のトランジスタおよび前記第１のトランジスタとカスコードの第２のトランジスタを備え、
前記第１のトランジスタのゲートは、前記電流ソースにおよび前記第１の対のトランジスタにおける前記１つのトランジスタのドレインに結合される、および
前記第１のトランジスタのソースは、前記第２のトランジスタのドレインまたは前記第２のトランジスタのゲートのうちの少なくとも１つに結合される、Ｃ６に記載の電流ミラー。
［Ｃ８］
前記ソースフォロワは、
前記第１のトランジスタの前記ゲートと前記第１のトランジスタの前記ソースとの間に接続された第１のキャパシタ、または、
前記第１のトランジスタの前記ゲートと前記第１の対のトランジスタにおける前記１つのトランジスタのソースとの間に接続された第２のキャパシタ、ここにおいて、前記第１の対のトランジスタにおける前記１つのトランジスタの前記ソースは、前記入力ノードに結合される、
のうちの少なくとも１つをさらに備える、Ｃ７に記載の電流ミラー。
［Ｃ９］
前記第２のトランジスタの前記ゲートは、前記第３の対のトランジスタのゲートに結合される、Ｃ７に記載の電流ミラー。
［Ｃ１０］
前記第１の対のトランジスタにおける前記１つのトランジスタのソースは、前記入力ノードに結合され、ここにおいて、前記第１の対のトランジスタにおける別のトランジスタのドレインは、前記出力ノードに結合される、Ｃ４に記載の電流ミラー。
［Ｃ１１］
前記電流ソースは、第１のパワーサプライノードに結合され、ここにおいて、前記第３の対のトランジスタは、前記第１のパワーサプライノードよりも低い電圧を有する、第２のパワーサプライノードに結合される、Ｃ４に記載の電流ミラー。
［Ｃ１２］
前記第１の対のトランジスタは、第１のトランジスタおよび第２のトランジスタを備え、ここにおいて、前記第１のトランジスタのゲートは、前記第２のトランジスタのゲートに結合される、Ｃ１に記載の電流ミラー。
［Ｃ１３］
前記第２の対のトランジスタは、第３のトランジスタおよび第４のトランジスタを備え、
前記第３のトランジスタのゲートは、前記第４のトランジスタのゲートに結合される、 前記第１のトランジスタのソースは、前記第３のトランジスタのドレインに結合され、および
前記第２のトランジスタのソースは、前記第４のトランジスタのドレインに結合される、Ｃ１２に記載の電流ミラー。
［Ｃ１４］
前記第３の対のトランジスタは、第５のトランジスタおよび第６のトランジスタを備え、
前記第５のトランジスタのゲートは、前記第６のトランジスタのゲートに結合され、および
前記第３のトランジスタと前記第４のトランジスタとの間の第１のサイズ比は、前記第５のトランジスタと前記第６のトランジスタとの間の第２のサイズ比に等しい、Ｃ１３に記載の電流ミラー。
［Ｃ１５］
前記第１のトランジスタと前記第２のトランジスタとの間の第３のサイズ比は、前記第１のサイズ比および前記第２のサイズ比と異なる、Ｃ１４に記載の電流ミラー。
［Ｃ１６］
前記第３のサイズ比は、前記電流ミラーのバイアス電流と前記電流ミラーの前記出力電流の比に基づき、
前記第１のトランジスタのドレインは、前記バイアス電流を受け取るように構成され、および
前記第２のトランジスタのドレインは、前記出力電流をシンクするように構成される、Ｃ１５に記載の電流ミラー。
［Ｃ１７］
前記バイアス電流は、前記入力電流と比較してごくわずかであり、ここにおいて、前記第１のトランジスタのソースおよび前記第３のトランジスタのドレインは、前記入力ノードに結合される、Ｃ１６に記載の電流ミラー。
［Ｃ１８］
前記スイッチングネットワークの第１の構成において、前記第３のトランジスタのソースは、前記第５のトランジスタのドレインに結合され、および前記第４のトランジスタのソースは、前記第６のトランジスタのドレインに結合される、および
前記スイッチングネットワークの第２の構成において、前記第３のトランジスタの前記ソースは、前記第６のトランジスタの前記ドレイン、および前記第４のトランジスタの前記ソースは、前記第５のトランジスタの前記ドレインに結合される、Ｃ１４に記載の電流ミラー。
［Ｃ１９］
前記第１のトランジスタおよび前記第３のトランジスタは、前記電流ミラーの入力およびバイアス電流ブランチにあり、前記第２のトランジスタおよび前記第４のトランジスタは、前記電流ミラーの出力電流ブランチにある、Ｃ１３に記載の電流ミラー。
［Ｃ２０］
前記第４のトランジスタは、前記第３のトランジスタより小さいサイズを有する、Ｃ１３に記載の電流ミラー。
［Ｃ２１］
前記第２のトランジスタは、前記第１のトランジスタより大きいサイズを有する、Ｃ１２に記載の電流ミラー。
［Ｃ２２］
前記電流ミラーの前記入力電流と前記電流ミラーの前記出力電流との間の比は、１５：１である、Ｃ１に記載の電流ミラー。
［Ｃ２３］
前記第２の対のトランジスタにおける１つのトランジスタは、スイッチングネットワークから前記入力ノードを切り離す、Ｃ１に記載の電流ミラー。
［Ｃ２４］
前記入力ノード、前記第２の対のトランジスタ、前記スイッチングネットワーク、および前記第３の対のトランジスタは、低電圧のドメインにおいて動作し、ここにおいて、前記出力ノードおよび前記第１の対のトランジスタは、高電圧のドメインにおいて動作する、Ｃ１に記載の電流ミラー。
［Ｃ２５］
前記第２の対のトランジスタは、前記低電圧のドメインと前記高電圧のドメインとの間の電荷共有を減らすように構成される、Ｃ２４に記載の電流ミラー。
［Ｃ２６］
入力電流に比例する出力電流を生成するための装置であって、
前記入力電流を受け取るための手段と、
バイアス電流を生成するための手段と、
前記出力電流をシンクするための第１の手段と、ここにおいて、前記出力電流は、前記バイアス電流に比例する、
前記第１の手段とカスコードの前記出力電流をシンクするための第２の手段と、ここにおいて、前記出力電流は、前記入力電流および前記バイアス電流の合計に比例する、
前記出力電流をシンクするための第３の手段と、
前記第２の手段と前記第３の手段との間の接続を交換するための手段と、ここにおいて、前記入力電流を受け取るための前記手段は、前記第１の手段と前記第２の手段との間に接続されている、
を備える、装置。
［Ｃ２７］
前記入力電流を受け取るための前記手段、前記第２の手段、前記第３の手段、および接続を交換するための前記手段は、低電圧のドメインにおいて動作し、
前記第１の手段は、高電圧のドメインにおいて動作し、
前記第２の手段は、前記低電圧のドメインと前記高電圧のドメインとの間の電荷共有を減らすように構成される、Ｃ２６に記載の装置。
［Ｃ２８］
前記バイアス電流に比例する前記出力電流をシンクするための前記第１の手段のための第１の比は、前記入力電流と前記バイアス電流との前記合計に比例する前記出力電流をシンクするための前記第２の手段のための第２の比より大きい、Ｃ２６に記載の装置。
［Ｃ２９］
前記バイアス電流は、前記入力電流と比較してごくわずかである、Ｃ２６に記載の装置。
［Ｃ３０］
接続を交換するための前記手段は、前記第２の手段と前記第３の手段との間との前記接続をランダムに交換するように構成される、Ｃ２６に記載の装置。